(57)【特許請求の範囲】
【請求項１】
サーバと通信を行う通信手段と、連絡先の者の識別情報と、前記連絡先の者の電子メールアドレスとを関連づけた連絡先情報を管理して記憶するアドレス帳記憶手段を備える管理装置であって、
前記サーバは、少なくとも、管理者用パスワードと、アクセス権限と、コンテンツが格納されている場所の情報が管理者名に関連付けられて構成されるアクセス制限情報を有し、
前記アドレス帳記憶手段に記憶されている前記連絡先情報の連絡先の者の識別情報に関連付けて、連絡先の者用のパスワード及びアクセス権限を書き込んで更新する更新手段と、
前記更新手段で更新された前記連絡先情報を、管理者名及び管理者用パスワードと共に前記通信手段によって前記サーバに送信し、前記サーバによって、送信した管理者名及び管理者用パスワードに一致するアクセス制限情報に対して連絡先の者の識別情報が関連付けられ、その後、前記サーバから当該連絡先の者の識別情報とコンテンツが格納されている場所の情報を取得する取得手段と、
前記取得手段により取得した連絡先の者の識別情報に基づいて、前記アドレス帳記憶手段に記憶されている前記連絡先情報から連絡先の者の電子メールアドレス及び連絡先の者用のパスワードを抽出し、抽出した連絡先の者の電子メールアドレスを利用して前記取得手段により取得したコンテンツが格納されている場所の情報及び連絡先の者用のパスワードを送信する送信手段を備えることを特徴とする管理装置。
【請求項２】
請求項１に記載の管理装置において、
使用者の指示に従って、前記更新手段により更新された前記アドレス帳記憶手段に書き込まれている前記連絡先の者のアクセス権限を書き換えるアクセス権限書き換え手段と、
前記アクセス権限書き換え手段によって書き換えられたアクセス権限と、このアクセス権限を有する連絡先の者を前記サーバが識別するための識別情報とを含む更新管理情報を前記サーバに送信する更新管理情報送信手段とを備えることを特徴とする管理装置。
【請求項３】
請求項１又は請求項２に記載の管理装置において、
前記更新手段は、使用者の指示に従って、前記連絡先の者の識別情報に関連づけて、前記連絡先の者が属するアクセス権限別のグループを識別するためのグループ識別情報を含むアクセス権限を前記アドレス帳記憶手段に書き込むことを特徴とする管理装置。
【請求項４】
請求項１から請求項３までのいずれか１項に記載の管理装置と、
前記サーバにアクセスし、管理者名を送信し、管理者登録要求を行い、管理者登録によって発行された管理者パスワードを前記サーバから取得し、その後、前記サーバにアクセス権限を送信し、コンテンツを格納する場所の情報の取得要求を行い、当該取得要求によりコンテンツを格納する場所の情報を前記サーバから取得し、前記コンテンツを格納する場所に所定のコンテンツを提供する管理者用端末を備え、
前記サーバは、前記管理者用端末から取得した管理者名及びアクセス権限と、前記管理者登録によって発行した管理者パスワードと、前記取得要求によって生成したコンテンツを格納する場所の情報に基づいて、前記アクセス制限情報を生成し、
前記管理装置から管理者名及び管理者用パスワードと、前記更新手段で更新された前記連絡先情報を受信し、受信した管理者名及び管理者用パスワードに一致するアクセス制限情報に対して連絡先の者の識別情報を関連付け、その後、当該連絡先の者の識別情報とコンテンツを格納する場所の情報を前記管理装置に送信することを特徴とする情報提供管理システム。
【請求項５】
サーバと通信を行う通信部と、連絡先の者の識別情報と、前記連絡先の者の電子メールアドレスとを関連づけた連絡先情報を管理して記憶するアドレス帳記憶部を備える管理装置に実行させるためのプログラムであって、
前記サーバは、少なくとも、管理者用パスワードと、アクセス権限と、コンテンツが格納されている場所の情報が管理者名に関連付けられて構成されるアクセス制限情報を有し、
前記アドレス帳記憶部に記憶されている前記連絡先情報の連絡先の者の識別情報に関連付けて、連絡先の者用のパスワード及びアクセス権限を書き込んで更新する更新手順と、
前記更新手順で更新された前記連絡先情報を、管理者名及び管理者用パスワードと共に前記通信部によって前記サーバに送信し、前記サーバによって、送信した管理者名及び管理者用パスワードに一致するアクセス制限情報に対して連絡先の者の識別情報が関連付けられ、その後、前記サーバから当該連絡先の者の識別情報とコンテンツが格納されている場所の情報を取得する取得手順と、
前記取得手順により取得した連絡先の者の識別情報に基づいて、前記アドレス帳記憶部に記憶されている前記連絡先情報から連絡先の者の電子メールアドレス及び連絡先の者用のパスワードを抽出し、抽出した連絡先の者の電子メールアドレスを利用して前記取得手順により取得したコンテンツが格納されている場所の情報及び連絡先の者用のパスワードを送信する送信手順を前記管理装置によって実現するためのプログラム。
【発明の詳細な説明】
【技術分野】
【０００１】
本発明は、クライアントからサーバに記憶されている情報へのアクセスを管理する管理装置、情報提供管理システム及びプログラムに関するものである。
【背景技術】
【０００２】
従来、情報提供管理システムは、情報提供要求者からのコンテンツ（サーバに記憶されている提供対象の情報）に対するアクセス要求に対して、コンテンツ毎にユーザ認証を行うことによって、情報提供要求者に応じた範囲でコンテンツを提供し、管理を行っていた（例えば、特許文献１参照。）。
【０００３】
このようなシステムにおける情報提供の管理は、以下のような方法により行われていた。
（１）システム管理者がユーザアカウント情報を登録し、各アカウントに対するリソース（コンテンツ）へのアクセス権限を設定し、このアクセス権限に基づいて、アクセスの管理を行う。
（２）ユーザがアクセス権限の設定ファイルを編集し、ＦＴＰ（Ｆｉｌｅ  Ｔｒａｎｓｆｅｒ  Ｐｒｏｔｏｃｏｌ）ツールなどでファイルをサーバへ転送することによって、インターネット環境のサーバ上のコンテンツに対するアクセス管理を行う。
（３）ユーザが、管理用ホームページや、ＣＧＩ（Ｃｏｍｍｏｎ  Ｇａｔｅｗａｙ  Ｉｎｔｅｒｆａｃｅ）プログラムを使用することによってコンテンツへのアクセスを管理する。
【特許文献１】特開２００２−２６９０４１号公報
【発明の開示】
【発明が解決しようとする課題】
【０００４】
しかし、上記の方法では、以下の問題が発生するおそれがあった。
（１）の方法では、一般ユーザが利用するインターネット・サービス・プロバイダのように、ユーザ数が膨大であった場合、ユーザ別の細かいアクセス制限、管理をシステム管理者が行うことが困難となるおそれがある。
（２）の方法では、アクセス権限の設定ファイルを編集する作業などをするときに、専門的な知識が必要となるため、ユーザ側が気軽にアクセスの制限、管理を行えないおそれがある。
（３）の方法では、操作性のよいインターフェイス（ＧＵＩなど）を導入していない端末のユーザに負担をかけるおそれがある。また、「誰にどのコンテンツへのアクセスを許可するか」といった情報を、ユーザが全て入力する必要があり、ユーザに負担をかける要因となるおそれがある。
【０００５】
本発明の課題は、情報提供の管理の容易化を図り、利便性の向上を図ることが可能な管理装置、情報提供管理システム及びプログラムを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。すなわち、請求項１の発明は、サーバ（２０）と通信を行う通信手段（１３）と、連絡先の者の識別情報と、前記連絡先の者の電子メールアドレスとを関連づけた連絡先情報を管理して記憶するアドレス帳記憶手段（１２）を備える管理装置（１０）であって、前記サーバは、少なくとも、管理者用パスワードと、アクセス権限と、コンテンツが格納されている場所の情報が管理者名に関連付けられて構成されるアクセス制限情報を有し、前記アドレス帳記憶手段に記憶されている前記連絡先情報の連絡先の者の識別情報に関連付けて、連絡先の者用のパスワード及びアクセス権限を書き込んで更新する更新手段（１１１）と、前記更新手段で更新された前記連絡先情報を、管理者名及び管理者用パスワードと共に前記通信手段によって前記サーバに送信し、前記サーバによって、送信した管理者名及び管理者用パスワードに一致するアクセス制限情報に対して連絡先の者の識別情報が関連付けられ、その後、前記サーバから当該連絡先の者の識別情報とコンテンツが格納されている場所の情報を取得する取得手段（１３、Ｓ３２０、Ｓ５１０、Ｓ５２０、Ｓ５３０、Ｓ３３０）と、前記取得手段により取得した連絡先の者の識別情報に基づいて、前記アドレス帳記憶手段に記憶されている前記連絡先情報から連絡先の者の電子メールアドレス及び連絡先の者用のパスワードを抽出し、抽出した連絡先の者の電子メールアドレスを利用して前記取得手段により取得したコンテンツが格納されている場所の情報及び連絡先の者用のパスワードを送信する送信手段（１１２、Ｓ３４０）を備えることを特徴とする管理装置である。
【０００７】
請求項２の発明は、請求項１に記載の管理装置において、使用者の指示に従って、前記更新手段により更新された前記アドレス帳記憶手段に書き込まれている前記連絡先の者のアクセス権限を書き換えるアクセス権限書き換え手段（１１１、Ｓ６５０）と、前記アクセス権限書き換え手段によって書き換えられたアクセス権限と、このアクセス権限を有する連絡先の者を前記サーバが識別するための識別情報とを含む更新管理情報を前記サーバに送信する更新管理情報送信手段（１３、１１２、Ｓ３２０）とを備えることを特徴とする管理装置（１０）である。
【００１０】
請求項３の発明は、請求項１又は請求項２に記載の管理装置において、前記更新手段は、使用者の指示に従って、前記連絡先の者の識別情報に関連づけて、前記連絡先の者が属するアクセス権限別のグループを識別するためのグループ識別情報を含むアクセス権限を前記アドレス帳記憶手段に書き込むことを特徴とする管理装置（１０）である。
【００１３】
請求項４の発明は、請求項１から請求項３までのいずれか１項に記載の管理装置（１０）と、前記サーバ（２０）にアクセスし、管理者名を送信し、管理者登録要求を行い、管理者登録によって発行された管理者パスワードを前記サーバから取得し、その後、前記サーバにアクセス権限を送信し、コンテンツを格納する場所の情報の取得要求を行い、当該取得要求によりコンテンツを格納する場所の情報を前記サーバから取得し、前記コンテンツを格納する場所に所定のコンテンツを提供する管理者用端末（３０）を備え、前記サーバは、前記管理者用端末から取得した管理者名及びアクセス権限と、前記管理者登録によって発行した管理者パスワードと、前記取得要求によって生成したコンテンツを格納する場所の情報に基づいて、前記アクセス制限情報を生成し、前記管理装置から管理者名及び管理者用パスワードと、前記更新手段で更新された前記連絡先情報を受信し、受信した管理者名及び管理者用パスワードに一致するアクセス制限情報に対して連絡先の者の識別情報を関連付け、その後、当該連絡先の者の識別情報とコンテンツを格納する場所の情報を前記管理装置に送信することを特徴とする情報提供管理システム（１）である。
【００１５】
請求項５の発明は、サーバ（２０）と通信を行う通信部（１３）と、連絡先の者の識別情報と、前記連絡先の者の電子メールアドレスとを関連づけた連絡先情報を管理して記憶するアドレス帳記憶部（１２）を備える管理装置（１０）に実行させるためのプログラムであって、前記サーバは、少なくとも、管理者用パスワードと、アクセス権限と、コンテンツが格納されている場所の情報が管理者名に関連付けられて構成されるアクセス制限情報を有し、前記アドレス帳記憶部に記憶されている前記連絡先情報の連絡先の者の識別情報に関連付けて、連絡先の者用のパスワード及びアクセス権限を書き込んで更新する更新手順（１１１）と、前記更新手順で更新された前記連絡先情報を、管理者名及び管理者用パスワードと共に前記通信部によって前記サーバに送信し、前記サーバによって、送信した管理者名及び管理者用パスワードに一致するアクセス制限情報に対して連絡先の者の識別情報が関連付けられ、その後、前記サーバから当該連絡先の者の識別情報とコンテンツが格納されている場所の情報を取得する取得手順（１３、Ｓ３２０、Ｓ５１０、Ｓ５２０、Ｓ５３０、Ｓ３３０）と、前記取得手順により取得した連絡先の者の識別情報に基づいて、前記アドレス帳記憶部に記憶されている前記連絡先情報から連絡先の者の電子メールアドレス及び連絡先の者用のパスワードを抽出し、抽出した連絡先の者の電子メールアドレスを利用して前記取得手順により取得したコンテンツが格納されている場所の情報及び連絡先の者用のパスワードを送信する送信手順（１１２、Ｓ３４０）を前記管理装置によって実現するためのプログラムである。
【発明の効果】
【００２１】
以上説明したように、本発明によれば、以下のような効果がある。
（１）管理装置からサーバへ管理情報を送信し、サーバがこの管理情報に基づいてクライアントからのアクセスを制限することによって、例えば、使用者は、携帯電話機、ＰＣなどの管理装置を操作し、サーバ上のコンテンツ（インターネット上のホームページなど）へのアクセスを制限するなど、クライアントからサーバに記憶されている情報へのアクセスを容易に管理することが可能となる。
特に、従来のアドレス帳にアクセス権限の項目を増やすなど、アドレス帳の機能を応用し、アドレス帳記憶手段にアクセス権限を書き込むことによって、容易にアクセス管理を行うことが可能となる。
（２）使用者の指示に従って、アクセス権限を書き換えることによって、使用者は、容易にアクセス権限を書き換え、より詳細にアクセス管理を行うことが可能となる。
（３）アドレス帳記憶手段に記憶されている連絡先の者の電子メールアドレスに電子メールを送信し、アクセス方法を通知することによって、所定の連絡先の者に容易に通知を行うことが可能となる。
（４）管理装置は、通信機能として、電子メールの機能を備えていれば、電子メールで管理情報を送信することによってアクセスの管理を行うことができ、携帯電話機などの低水準の機能（入出力機能や、通信機能など）の端末において、容易に、アクセスの管理を実現することが可能である。また、管理装置は、携帯電話機などの情報処理装置に所定の電子メールのプログラムを搭載するだけで実現可能であり、実現にかかるコストの低減を図るとともに、汎用性及び実現性の向上を図る。
（５）グループ識別情報を含むアクセス権限を連絡先の者の識別情報に関連づけて書き込むことによって、連絡先の者のアクセス権限をグループ別で管理することができ、利便性が向上する。
（６）管理装置が認証情報を設定することにより、例えば、連絡先の者ごと、グループごとに覚えやすいパスワードを設定するなど、利便性を向上することが可能となる。
（７）特に、管理装置が携帯型の情報処理装置である場合には、使用者の利便性を一層向上することが可能となる。
【発明を実施するための最良の形態】
【００２２】
本発明は、情報提供の管理の容易化を図り、利便性の向上を図るという目的を、連絡先の者の識別情報と、連絡先の者の電子メールアドレスとを関連づけた連絡先情報を管理して記憶するアドレス帳記憶部を有し、クライアントからサーバに記憶されている情報へのアクセスを管理する管理装置であって、使用者の指示に従って、アドレス帳記憶部に、連絡先の者の識別情報と関連づけて、サーバに記憶されている情報へのこの連絡先の者のアクセス権限を書き込むアクセス権限書き込み部、アクセス権限書き込み部によって書き込まれたアクセス権限と、このアクセス権限を有する連絡先の者をサーバが識別するための識別情報とを含む管理情報をサーバに送信する管理情報送信部を有する管理装置と、管理装置から受信する管理情報に基づいて、クライアントからのアクセスを、連絡先の者による、アクセス権限の範囲内に制限するサーバとを備える情報提供管理システムによって実現する。
【実施例】
【００２３】
以下、図面等を参照して、本発明の実施例をあげて、さらに詳しく説明する。
図１は、本発明による情報提供管理システム及び管理装置の実施例における構成を示すブロック図である。なお、本実施例においてサーバは、ＷＥＢサーバ２０、クライアントは、連絡先者ＰＣ４０及び一般ＰＣ５０、管理装置は、携帯電話機１０である。
図１に示すように、情報提供管理システム１は、携帯電話機１０と、ＷＥＢサーバ２０と、管理者ＰＣ３０と、連絡先者ＰＣ４０、一般ＰＣ５０などとを備え、ＷＥＢサーバ２０に記憶されているホームページ（以下、「ＨＰ」という。）、テキストデータ、画像データなどの種々のコンテンツへの連絡先者ＰＣ４０、一般ＰＣ５０からのアクセスを携帯電話機１０によって管理するシステムである。携帯電話機１０、ＷＥＢサーバ２０、管理者ＰＣ３０、連絡先者ＰＣ４０及び一般ＰＣ５０は、互いに電話回線、光ケーブルその他の有線、又は赤外線その他の無線の通信回線６０を介して接続され、互いに通信を行うことが可能である。コンテンツは、連絡先者ＰＣ４０などからのアクセス対象となる情報であって、その情報の種類は限定されない。
本実施例において、情報提供管理システム１は、連絡先者ＰＣ４０、一般ＰＣ５０から、「大日本花子」がＷＥＢサーバ２０へアップロードした種々のコンテンツへのアクセスできる者を、管理者である「大日本花子」がコンテンツごとに指定した所定の者に制限し、管理するシステムである。
【００２４】
図２は、携帯電話機１０及びＷＥＢサーバ２０の構成を示すブロック図である。
図２（ａ）に示すように、携帯電話機１０は、ＣＰＵ１１と、ＣＰＵ１１にバスなどを介して接続されている記憶部１２、通信部１３、表示部１４及び入力部１５などとを備える携帯型の情報処理装置である。携帯電話機１０は、一般的な携帯電話機に所定のソフトウェアをインストールすることによって実現することが可能である。携帯電話機１０は、管理者である「大日本花子」によって使用される携帯電話機である。
通信部１３は、モデムなどを備え、通信回線６０を介した通信を行うためのインターフェイスである。
表示部１４は、液晶ディスプレイなどの電気信号を画像等に変換して出力し、情報を表示する表示装置である。
入力部１５は、使用者によって操作されるダイヤルキーなどの入力キーを有し、使用者の操作に応じて情報を入力する入力装置である。
ＣＰＵ１１は、記憶部１２に記憶されているプログラムを実行することによって、携帯電話機１０における情報処理を統括制御する中央処理演算装置であり、アドレス帳書込／書換部１１１、電子メール送受信部１１２などを実現する。アドレス帳書込／書換部１１１は、使用者の指示（入力部１５からの入力）に従って、記憶部１２に記憶されているアドレス帳への書き込み、アドレス帳の内容の書き換えを行う。電子メール送受信部１１２は、電子メールの生成、通信部１３を制御した電子メールの送受信などを行う。各部の機能の詳細については、図６及び図７を用いて後述する。
【００２５】
図３は、記憶部１２に記憶されている情報を説明するための説明図である。
記憶部１２は、ＣＰＵ１１の処理のワークエリアとして使用されるＲＡＭ、プログラム及びプログラムの処理に必要なデータを記憶するＲＯＭ、ハードディスクなどを備える記憶装置である。図３に示すように、記憶部１２は、アドレス帳を管理して記憶している。アドレス帳は、携帯電話機１０が電話、電子メールなどで連絡を行う場合に、連絡相手を特定するための電話番号、電子メールアドレスなどの連絡先を管理するための情報であって、連絡先の者ごとに、対応する名前、電話番号、電子メールアドレス、メモ、グループ、連絡先者パスワードなどを関連づけた連絡先情報を含んでいる。
【００２６】
名前は、連絡先の者を携帯電話機１０の所有者（大日本花子）が識別するための連絡先者識別情報である。グループ名は、連絡先の者が属するアクセス権限別のグループを識別するためのグループ識別情報である。このアクセス権限とは、ＷＥＢサーバ２０に記憶されている情報へ正当にアクセスできる範囲を示す情報であり、グループ識別情報は、各グループのアクセス権限を示す情報でもある。連絡先者パスワードは、各連絡先の者をＷＥＢサーバ２０が認証するための認証情報である（後述する図８のＳ７１０参照。）。このアドレス帳の各連絡先情報は、入力部１５から入力される携帯電話機１０の所有者の指示に応じて登録される。この登録の詳細については、図７を用いて後述する。
【００２７】
図２（ｂ）に示すようにＷＥＢサーバ２０は、ユーザアカウント管理用のプログラム、コンテンツ管理用のプログラムなどの所定のプログラムを搭載したサーバコンピュータである。
ＷＥＢサーバ２０は、ＣＰＵ２１と、ＣＰＵ２１にバスなどを介して接続されている記憶部２２、通信部２３などとを備えている。ＷＥＢサーバ２０は、管理者ＰＣ３０、連絡先者ＰＣ４０などのインターネットに接続されているクライアントからの要求に応じて、サーバ内に記憶されているコンテンツをクライアントへ送信する。なお、ＷＥＢサーバ２０は、１台のコンピュータで構築してもよいし、役割に応じて複数のコンピュータ（ＷＥＢサーバ、ファイル（コンテンツ管理）サーバなど）で構築してもよい。
【００２８】
通信部２３は、モデムなどを備え、通信回線６０を介した通信を行うためのインターフェイスである。
ＣＰＵ２１は、通信部２３を介して管理者ＰＣ３０、連絡先者ＰＣ４０などから命令を受信した場合に、この命令に応じて記憶部２２に記憶されているプログラムを実行し、種々の演算、制御などを行い、ＷＥＢサーバ２０を統括制御し、アクセス制限部２１１などを実現する。
アクセス制限部２１１は、記憶部２２に記憶されているアクセス制御情報に基づいて、管理者ＰＣ３０、連絡先者ＰＣ４０などの通信回線６０に接続されたコンピュータからの記憶部２２に記憶されているコンテンツへのアクセスを制限する。
記憶部２２は、ＲＡＭ、ＲＯＭ、ハードディスクなどを備える記憶装置である。記憶部２２は、管理者の携帯電話機１０から提供されるコンテンツを各管理者が設定したグループごとにフォルダに分けて記憶している。
【００２９】
図４は、記憶部２２に記憶されているアクセス制御情報を説明するための説明図である。
図４に示すように、アクセス制御情報は、対応する管理者名、管理者パスワード、グループ名、フォルダ名、連絡先の者の名前、電子メールアドレス、電話番号、連絡先者パスワードなどを関連づけた、コンテンツへのアクセスを制限して管理するための情報である。
管理者名は、コンテンツをＷＥＢサーバ２０へ提供し、このコンテンツへのアクセスを管理する者を識別する識別情報であって、管理者パスワードは、管理者を認証するための認証情報である。フォルダ名は、コンテンツが格納されているフォルダを識別する識別情報である。
例えば、「大日本花子」のグループ「家族」に属している連絡先の者は、アクセス制限部２１１によってアクセスが制限され、「フォルダＡ」のフォルダに格納されているコンテンツなどの情報にアクセスすることが可能であるが、「フォルダＢ」のフォルダの情報へはアクセスすることができない。
【００３０】
図１に示すように、管理者ＰＣ３０、連絡先者ＰＣ４０及び一般ＰＣ５０は、ＣＰＵ、記憶装置、入力装置、表示装置、通信装置などを備え（図示しない。）、通信回線６０を介して、ＨＰ（以下、「ホームページ」という。）へのアクセス、電子メールの送受信などが可能な一般的なパーソナルコンピュータ（以下、「ＰＣ」という。）である。管理者ＰＣ３０、連絡先者ＰＣ４０及び一般ＰＣ５０は、それぞれ「大日本花子」、その家族である「大日本太郎」、一般の人が使用するＰＣである。
【００３１】
図５は、本発明による情報提供管理システム、管理装置の動作及び本発明によるプログラムを示すフローチャートであって、コンテンツ登録処理を示している。以下、管理者ＰＣ３０のＣＰＵ、ＷＥＢサーバ２０のＣＰＵ２２の処理を中心に説明する。
図５に示すように、ステップ１１０（以下、「ステップ」を「Ｓ」という。）において、管理者（大日本花子）は、ＨＰを開設するため、管理者ＰＣ３０からＷＥＢサーバ２０へアクセスし、管理者名を送信し、管理者登録要求を行う（Ｓ１１０）。ＷＥＢサーバ２０は、管理者パスワードを割り当て、管理者名及び管理者パスワードをアクセス制御情報として記憶部２２へ記憶して登録を行い、管理者パスワードを管理者ＰＣ３０へ送信し、管理者へ通知する（Ｓ２１０）。
【００３２】
また、管理者は、グループ名を含み、グループ別のＨＰのＵＲＬの取得要求を管理者ＰＣ３０からＷＥＢサーバ２０に対して行う。ＷＥＢサーバ２０は、この要求に対して、グループ別ＨＰのコンテンツを格納するためのフォルダを管理者に割り当てる。具体的には、ＷＥＢサーバ２０は、Ｓ２１０で登録した管理者名及び管理者パスワードに、グループ名と、割り当てたフォルダとを関連づけてアクセス制御情報として記憶部２２へ記憶し（図４参照。）、そのフォルダのインターネット上の位置を示すＵＲＬを管理者ＰＣ３０へ送信し、管理者ＰＣ３０は、グループ別のＵＲＬを取得する（Ｓ１２０）。
管理者は、グループ別のＨＰで公開するコンテンツをＷＥＢサーバ２０にアップロードし（Ｓ１３０）、ＷＥＢサーバ２０は、管理者のグループに割り当てたフォルダにコンテンツを格納し（Ｓ２３０）、管理者ＰＣ３０及びＷＥＢサーバ２０は、コンテンツ登録処理を終了する（Ｓ１４０，Ｓ２４０）。
【００３３】
図６、図７及び図８は、本発明による情報提供管理システム、管理装置の動作及び本発明によるプログラムを示すフローチャートであり、図６は、コンテンツ登録処理（図５参照。）後に行う制御情報登録処理、図７は、連絡先情報登録処理、図８は、権限確認処理を示している。また、図９は、携帯電話機１０の表示部１４の表示画面を示す図である。以下、携帯電話機１０のＣＰＵ１１、ＷＥＢサーバ２０のＣＰＵ２１及び連絡先者ＰＣ４０のＣＰＵの処理を中心に説明する。
図６に示すように、Ｓ３１０において、携帯電話機１０は、連絡先情報登録処理を行う。
【００３４】
図７に示すように、Ｓ６１０において、管理者は、携帯電話機１０の入力部１５を操作し、携帯電話機１０は、登録メニュー画面（図９（ａ））を表示する。管理者は、入力部１５を操作して、連絡先の者の名前、電話番号、電子メールアドレス、グループ名、連絡先者パスワードなどの項目からいずれかを選択し、携帯電話機１０は、入力部１５から選択情報を入力し（Ｓ６２０）、選択された項目の入力画面を表示する（Ｓ６３０，Ｓ６４０）。携帯電話機１０のアドレス帳書込／書換部１１１は、使用者の入力部１５操作に従って入力される連絡先の者の名前などの情報を、記憶部１２へ連絡先情報として登録する（Ｓ６５０）。携帯電話機１０は、終了指示があるまで、同様の処理を繰り返す（Ｓ６１０からＳ６６０まで）。
【００３５】
管理者は、同一のＨＰを公開したい連絡先の者について、ＷＥＢサーバ２０に登録済みのグループ名を割り当ててアクセス権限の設定を行う。このグループ名の登録によって、各コンテンツへアクセス可能な連絡先の者が設定される。例えば、管理者は、家族用のＨＰを公開したい家族の連絡先情報のグループ欄にグループ名「家族」を登録する。また、既に名前、電話番号、電子メールアドレスなどが登録されている場合（図９（ｂ））には、管理者は、グループ名、連絡先者パスワードの項目を選択して登録を行う。
【００３６】
図６に示すように、Ｓ３２０において、携帯電話機１０の電子メール送受信部１１２は、送信者を管理者名とした電子メールによって、管理者パスワード及びＳ３１０でグループ名が登録された連絡先情報を管理情報としてＷＥＢサーバ２０へ送信する。ＷＥＢサーバ２０は、この連絡先情報、管理者名及び管理者パスワードを含む管理情報の電子メールを受信し（Ｓ５１０）、管理者を認証し、コンテンツ登録処理（図５のＳ２１０参照。）で登録した、同一の管理者名のアクセス制御情報に関連づけて記憶部２２へ記憶する（Ｓ５２０）。ＷＥＢサーバ２０は、この連絡先の者が属するグループに割り当てられたフォルダのＵＲＬを含み、登録が完了した旨を示す電子メールを携帯電話機１０へ返信する（Ｓ５３０）。
【００３７】
電子メール送受信部１１２は、ＵＲＬを含む電子メールを受信し（Ｓ３３０）、このＵＲＬ、Ｓ３１０で設定した連絡先者パスワードを含み、グループ別のホームページへのアクセス方法を示す電子メールを生成し、このグループに属する全ての連絡先の者の電子メールアドレス宛てに送信する（Ｓ３４０）。この電子メールを受信した連絡先者ＰＣ４０は、電子メールに含まれるＵＲＬなどのアクセス方法に従って、グループ別のＨＰへアクセスを行う（Ｓ４２０）。具体的には、連絡先者ＰＣ４０は、先ず、ＵＲＬへアクセスし、ログイン名（連絡先の者の名前）及び連絡先者パスワードをＷＥＢサーバ２０へ送信し、コンテンツの提供要求を行う。ＷＥＢサーバ２０は、この要求に対して権限確認処理を行う（Ｓ５４０）。
【００３８】
図８に示すように、ＷＥＢサーバ２０のアクセス制限部２１１は、連絡先者ＰＣ４０などから受信したログイン名及び連絡先者パスワードと、記憶部２２に記憶されているアクセス制御情報とに基づいて、連絡先の者を認証するか否かを判定し（Ｓ７１０）、認証した場合には、提供要求の対象であるコンテンツへのアクセスがこの連絡先の者のアクセス権限範囲内であるか否かをアクセス制御情報に基づいて判定する（Ｓ７２０，Ｓ７３０）。アクセス制限部２１１は、Ｓ７１０又はＳ７３０で否と判定された場合には、要求を行った要求者がその権限がないと判定し（Ｓ７６０）、ともに肯と判定した場合には、権限有りと判定し（Ｓ７５０）、権限確認処理を終了する（Ｓ７７０）。
【００３９】
図６に示すように、ＷＥＢサーバ２０は、連絡先の者の権限を確認できた場合には、要求の対象であるコンテンツを連絡先者ＰＣ４０へ送信して（Ｓ５５０）、処理を終了する（Ｓ５６０）。連絡先者ＰＣ４０は、このコンテンツを受信し（Ｓ４３０）、処理を終了する（Ｓ４４０）。なお、権限確認処理（図８参照。）において、権限なしと判定した場合には、ＷＥＢサーバ２０は、要求に応じないで処理を終了する（Ｓ５６０）。従って、ＷＥＢサーバ２０は、一般ユーザが使用する一般ＰＣ５０からコンテンツの提供要求があった場合や、連絡先の者と認証されても、そのグループに対応するフォルダに格納されていないコンテンツについて提供要求があった場合には、要求に応じない。
【００４０】
なお、管理者が携帯電話機１０のアドレス帳において、グループ名の書き換え、書き込みを行った場合には、アドレス帳書込／書換部１１１は、連絡先情報登録処理（図７参照。）と同様の処理を行い、電子メール送受信部１１２は、更新されたグループ名と、グループ名が更新された連絡先の者の名前とを含む更新管理情報を、ＷＥＢサーバ２０に送信する（図６のＳ３２０）。ＷＥＢサーバ２０は、この更新管理情報に基づいてアクセス制御情報を書き換え（同図のＳ５２０）、アクセス制限部２１１は、この書き換えられたアクセス制御情報に基づいて、アクセスの制限を行う（同図のＳ５４０）。
【００４１】
このように、本実施例によれば、情報提供管理システム１は、携帯電話機１０に記憶されているアドレス帳の連絡先情報に基づいて、ＷＥＢサーバ２０からのコンテンツの提供を管理するため、管理者は、携帯電話機１０のアドレス帳の各項目に情報を登録するだけで、管理の知識がなくても、容易にコンテンツへのアクセスの管理を行うことが可能となった。また、個人情報などのコンテンツの提供の管理が容易となり、その結果として、安全性を向上することが可能となった。
さらに、携帯電話機１０は、使用者の指示に従って、アクセス権限を書き換えるため、使用者は、より詳細にアクセス管理を行うことが可能となった。
【００４２】
さらにまた、携帯電話機１０は、記憶部１２に記憶されている連絡先の者の電子メールアドレスに電子メールを送信してアクセス方法を通知するため、所定の連絡先の者に容易に通知を行うことが可能となった。
また、携帯電話機１０は、通信機能として、電子メールの機能を備えていれば、電子メールで管理情報を送信することによってアクセスの管理を行うことができ、携帯電話機などの低水準の機能（入出力機能や、通信機能など）の端末であったとしても、容易に、アクセスの管理を行うことが可能となった。
【００４３】
さらに、携帯電話機１０は、一般的な携帯電話機に所定の電子メールのプログラムを搭載するだけで実現可能であり、実現にかかるコストの低減を図ることが可能となるとともに、汎用性及び実現性の向上を図ることが可能となった。
さらにまた、携帯電話機１０は、管理者の指示に従って、グループ名を連絡先の者ごとに設定するため、連絡先の者のアクセス権限をグループ別で管理することができ、利便性を向上することが可能となった。
また、携帯電話機１０は、管理者の指示に従って、連絡先者パスワードを設定するため、覚えやすいパスワードを設定するなど、利便性を向上することが可能となった。
（変形形態）
【００４４】
以上説明した実施例に限定されることなく、種々の変形や変更が可能であって、それらも本発明の均等の範囲内である。情報提供管理システム１は、コンテンツの提供の制限を指示する管理装置として携帯電話機１０を例として示したが、これに限定されず、ＣＰＵ１１、記憶部１２、通信部１３など、携帯電話機１０と同様の機能を備えていれば、他の情報処理装置であってもよい。特に、携帯電話機１０、ＰＤＡ（Ｐｅｒｓｏｎａｌ  Ｄｉｇｉｔａｌ  Ａｓｓｉｓｔａｎｔ）などの携帯型の情報処理装置である場合には、管理者の利便性を一層向上することが可能となる。
また、コンテンツ登録処理（図５参照。）を携帯電話機１０が管理者ＰＣ３０の代わりに行ってもよく、制御情報登録処理（図６参照。）における携帯電話機１０の処理を管理者ＰＣ３０が行ってもよい。
【００４５】
携帯電話機１０は、連絡先情報として、各連絡先に、連絡先の者が属する一のグループのグループ名を関連づけて記憶しているが、関連づけるグループ名の数は、複数であってもよい。連絡先の者が複数のグループに属する場合などに対応し、より詳細にアクセス管理を行うことができ、利便性を向上することが可能となる。また、同様に携帯電話機１０は、連絡先情報として、連絡先の者に複数の電子メールアドレスなど、複数の連絡先を関連づけて記憶していてもよい。
【００４６】
携帯電話機１０は、連絡先の者ごとに連絡先者パスワードを設定するが、グループごとにパスワードを設定してもよい。ＷＥＢサーバ２０が提供要求をする者について、どのような権限を持つ者であるかを認証することができればよい。また、ＷＥＢサーバ２０がパスワードを割り当て、携帯電話機１０へ通知してもよく、直接、連絡先の者（連絡先者ＰＣ４０）へ通知してもよい。
また、携帯電話機１０から連絡先者ＰＣ４０へ招待状メールを送信し、グループ別のＨＰへのアクセス方法を通知しているが、ＷＥＢサーバ２０から直接連絡先者ＰＣ４０へ招待状メールを送信し、アクセス方法を通知してもよく、通知方法は限定されない。
【００４７】
携帯電話機１０は、連絡先情報及び管理者名を電子メールで送信しているが、ＷＥＢサーバ２０が提供するＨＰにアクセスするなど、ＷＥＢサーバ２０にアクセスすることによってこれらの情報を送信してもよい。ＷＥＢサーバ２０から携帯電話機１０へのＵＲＬの通知についても、このアクセスによって行ってもよい。これらの情報の送信方法は、限定されない。
【００４８】
情報提供管理システム１は、ＵＲＬ取得（図５のＳ１２０）、コンテンツアップロード（図５のＳ１３０）、連絡先情報送信（図６のＳ３２０）の順で処理を行っているが、例えば、連絡先情報送信後に、コンテンツアップロード、ＵＲＬ取得を行ってもよく、コンテンツ、アクセス制御情報がＷＥＢサーバ２０に登録され、登録されたコンテンツのＵＲＬが携帯電話機１０に送信されれば、これらの処理の順は、限定されない。
【００４９】
携帯電話機１０は、ＷＥＢサーバ２０へアクセス制御情報を登録するために管理情報を送信するが、連絡先情報の全ての項目を送信する必要はなく、管理社名及び連絡先者名などのＷＥＢサーバ２０が連絡先者を識別する情報、連絡先者が属するグループ名などの連絡先者のアクセス権限を示す情報を少なくとも送信すればよい。この管理情報から登録され、記憶部２２に記憶されるアクセス制御情報についても同様である。
【００５０】
ＷＥＢサーバ２０は、連絡先者パスワードに基づいて、連絡先者の認証を行っているが、例えば、連絡先者ＰＣ４０が携帯電話機であって、ＷＥＢサーバ２０がアクセスされている携帯電話機のＩＤを特定可能な場合など、ＷＥＢサーバ２０が提供要求を行う情報処理装置をそのアクセスによって認証することができるときには、連絡先者パスワードを設定する必要はない。連絡先者がパスワードを保持する必要がなくなり利便性の向上を図ることが可能となる。
【００５１】
情報提供管理システム１は、ＷＥＢサーバ２０から提供される対象の情報として、ＨＰのデータを例として示したが、テキストファイル、画像ファイルなどの種々のデータであってもよく、ＷＥＢサーバ２０から提供する情報の種類は限定されない。
【００５２】
また、本実施例において、ＷＥＢサーバ２０が管理者、連絡先者を識別するための情報として、その名前を用いる例を示したが、これに限定されず、住所でも、電話番号でも、電子メールアドレスでも、使用する端末の名称でもよく、その情報に基づいて、管理者、連絡先者を識別することができればよい。
【図面の簡単な説明】
【００５３】
【図１】情報提供管理システム及び管理装置の実施例における構成を示すブロック図である。
【図２】携帯電話機１０及びＷＥＢサーバ２０の構成を示すブロック図である。
【図３】記憶部１２に記憶されている連絡先情報を説明するための説明図である。
【図４】記憶部２２に記憶されているアクセス制御情報を説明するための説明図である。
【図５】情報提供管理システム、管理装置の動作及びプログラムの実施例を示すフローチャートである（コンテンツ登録処理）。
【図６】情報提供管理システム、管理装置の動作及びプログラムの実施例を示すフローチャートである（制御情報登録処理）。
【図７】情報提供管理システム、管理装置の動作及びプログラムの実施例を示すフローチャートである（連絡先情報登録処理）。
【図８】情報提供管理システム、管理装置の動作及びプログラムの実施例を示すフローチャートである（権限確認処理）。
【図９】携帯電話機１０の表示部１４の表示画面を示す図である。
【符号の説明】
【００５４】
１  情報提供管理システム
１０  携帯電話機
１１  ＣＰＵ
１２  記憶部
１３  通信部
１４  表示部
１５  入力部
２０  ＷＥＢサーバ
２１  ＣＰＵ
２２  記憶部
２３  通信部
３０  管理者ＰＣ
４０  連絡先者ＰＣ
５０  一般ＰＣ
６０  通信回線
１１１  アドレス帳書込／書換部
１１２  電子メール送受信部
２１１  アクセス制限部
【図１】
0004644431.tif 000002
【図２】
0004644431.tif 000003
【図３】
0004644431.tif 000004
【図４】
0004644431.tif 000005
【図５】
0004644431.tif 000006
【図６】
0004644431.tif 000007
【図７】
0004644431.tif 000008
【図８】
0004644431.tif 000009
【図９】
0004644431.tif 000010